(57)【特許請求の範囲】
【請求項１】
携帯機器に対して充電器を介した電力供給の制御を行う電力供給部と、
充電に際して携帯機器から、当該携帯機器にて利用されているＷｅｂサービスＩＤと、そのＷｅｂサービス中でのユーザＩＤと、を関連付けて取得するＩＤ取得部と、
充電器に略同時に配置されることにより電力供給部から略同時に電力供給された２以上の携帯機器から取得したＷｅｂサービスＩＤによってユーザＩＤをグルーピングするユーザＩＤグルーピング部と、
を有する充電装置。
【請求項２】
グルーピングされたユーザＩＤの一部又は全部を、当該グルーピングの元となったＷｅｂサービスＩＤで識別されるＷｅｂサービスを管理するサーバ装置に対して送信する第一送信部を有する請求項１に記載の充電装置。
【請求項３】
グルーピングされたユーザＩＤの一部又は全部を、当該グルーピングされたユーザＩＤで識別されるユーザの携帯機器に対して送信する第二送信部を有する請求項１または２に記載の充電装置。
【請求項４】
充電装置自身の位置を示す位置情報を保持する位置情報保持部を有するとともに、
第一又は／及び第二送信部は、保持されている位置情報もユーザＩＤと合わせて送信する位置情報送信手段を有する請求項２または３に記載の充電装置。
【請求項５】
電力供給部での携帯機器に対する電力供給時刻を取得する電力供給時刻取得部を有するとともに、
第一又は／及び第二送信部は、取得した電力供給時刻もユーザＩＤと合わせて送信する電力供給時刻送信手段を有する請求項２から４のいずれか一に記載の充電装置。
【請求項６】
携帯機器に対して充電器を介して充電のための電力供給を行う電力供給ステップと
充電に際して携帯機器から、当該携帯機器にて利用がある場合には利用されているＷｅｂサービスＩＤと、そのＷｅｂサービス中でのユーザＩＤと、を関連付けて取得するＩＤ取得ステップと、
充電器に略同時に配置されることにより電力供給部から略同時に電力供給された２以上の携帯機器から取得したＷｅｂサービスＩＤによってユーザＩＤをグルーピングするユーザＩＤグルーピングステップと、
を実行する充電装置の動作方法。
【請求項７】
携帯機器に対して充電器を介して充電のための電力供給を行う電力供給ステップと
充電に際して携帯機器から、当該携帯機器にて利用がある場合には利用されているＷｅｂサービスＩＤと、そのＷｅｂサービス中でのユーザＩＤと、を関連付けて取得するＩＤ取得ステップと、
充電器に略同時に配置されることにより電力供給部から略同時に電力供給された２以上の携帯機器から取得したＷｅｂサービスＩＤによってユーザＩＤをグルーピングするユーザＩＤグルーピングステップと、
を充電装置に実行させるプログラム。
【発明の詳細な説明】
【技術分野】
【０００１】
本発明は、充電装置を介してユーザをグルーピングするための技術に関する。
【背景技術】
【０００２】
趣味嗜好やその他共通点を有するユーザ同士が、いわゆる「フレンド登録」や「コミュニティへの参加」といった形で連携（グループ化）し、そして、その連携相手の行動を通知しあうことで活発な交流を図ることができるソーシャルネットワーキングサービス（ＳＮＳ）と呼ばれるインターネットサービスが従来提供されている。またＳＮＳのフレンド登録では、ユーザは、例えば趣味嗜好などを含む自身のプロフィールを公開し、その公開情報を参考にしてフレンド申請や承認といった手続きを行い、ユーザ同士を連携することができる。
【０００３】
またＳＮＳ以外のＷｅｂサービスでも、例えば猫についての記事が投稿される複数のブログ同士でトラックバックをしあう、という具合にユーザ同士が連携し交流を行うことができる。
【０００４】
しかし、このようなＷｅｂサービスにおいて連携相手を探すために多数のユーザの公開情報を逐一チェックするのは手間であり、そこで特許文献１や２などには携帯端末を利用したユーザ間の連携推薦技術が開示されている。具体的に、これら特許文献には、現実世界で接近したユーザ同士をネットワーク上の仮想世界などで連携させることを可能とするために、携帯端末から時刻情報および位置情報を収集し、同時刻帯に近接する位置にいた携帯端末のユーザ同士の連携を推薦する技術が開示されている。
【先行技術文献】
【特許文献】
【０００５】
【特許文献１】特開２００８−１７６４０６号公報
【特許文献２】特開２００６−００４３１８号公報
【発明の概要】
【発明が解決しようとする課題】
【０００６】
しかし上記従来技術では、携帯端末同士が現実世界で実際に近接していることを判断するために位置情報が必要である、という課題がある。例えば携帯端末の位置情報を取得するためにはＧＰＳ（全地球測位システム）などを利用することが考えられるが、ＧＰＳ機能は衛星電波を受信する必要があるため全ての端末に標準的に実装されている機能ではなく、したがってＧＰＳ機能を備えていない携帯端末の場合に上記従来技術は利用できない。
【０００７】
また、その他の位置情報の取得方法として携帯端末と直接通信を行う基地局の位置情報や識別情報を利用する方法も考えられるが、基地局は最低でも半径数十メートルの範囲をカバーしているため、同時刻に同じ基地局と通信している携帯端末同士でも実際には数十メートル以上離れた位置におり現実世界では近接していない可能性がある。
【課題を解決するための手段】
【０００８】
以上の課題を解決するために、本発明は、携帯機器に対して有接点／近接無接点にて充電を行う充電装置を利用し、略同時に充電器に配置された携帯機器同士をグルーピングする技術を提供する。
【０００９】
具体的には、携帯機器に対して充電器を介して充電のための電力供給を行う電力供給部と、充電に際して携帯機器から、当該携帯機器にて利用がある場合には利用されているＷｅｂサービスＩＤと、そのＷｅｂサービス中でのユーザＩＤと、を関連付けて取得するＩＤ取得部と、充電器に略同時に配置されることにより電力供給部から略同時に電力供給された２以上の携帯機器から取得したＷｅｂサービスＩＤによってユーザＩＤをグルーピングするユーザＩＤグルーピング部と、を有する充電装置を提供する。
【００１０】
また上記構成を備え、グルーピングされたユーザＩＤの一部又は全部を、当該グルーピングの元となったＷｅｂサービスＩＤで識別されるＷｅｂサービスを管理するサーバ装置に対して送信する第一送信部を有する充電装置を提供する。また、グルーピングされたユーザＩＤの一部又は全部を、当該グルーピングされたユーザＩＤで識別されるユーザの携帯機器に対して送信する第二送信部を有する充電装置も提供する。
【００１１】
また、上記構成を備え、さらに充電装置自身の位置を示す位置情報を保持する位置保持情報部を有するとともに、第一又は／及び第二送信部は、保持されている位置情報もユーザＩＤと合わせて送信する位置情報送信手段を有する充電装置も提供する。また、電力供給部での携帯機器に対する電力供給時刻を取得する電力供給時刻取得部を有するとともに、第一又は／及び第二送信部は、取得した電力供給時刻もユーザＩＤと合わせて送信する電力供給時刻送信手段を有する充電装置も提供する。
【発明の効果】
【００１２】
以上のような構成をとる本発明によって、携帯機器の位置情報を利用することなく、充電装置にて携帯機器の充電を行うために現実世界で接近したユーザ同士を、ネットワーク上のＷｅｂサービスをキーとしてグルーピングすることができる。
【図面の簡単な説明】
【００１３】
【図１】実施例１の充電装置によるユーザＩＤのグルーピング処理の一例を説明するための概念図
【図２】実施例１の充電装置における機能ブロックの一例を表す図
【図３】実施例１の充電装置にて取得されたＷｅｂサービスＩＤとユーザＩＤを管理するためのマスターデータの一例を表す図
【図４】ユーザＩＤのグルーピングを管理するためのユーザＩＤマスターデータの一例を表す図
【図５】実施例１の充電装置の第一送信部による送信処理を行うための送信先マスターデータの一例を表す図
【図６】実施例１の充電装置の第二送信部からの通知に基づく携帯機器での通知画面の一例を表す図
【図７】実施例１の充電装置におけるハードウェア構成の一例を表す図
【図８】実施例１の充電装置における処理の流れの一例を表すフローチャート
【図９】実施例２の充電装置における機能ブロックの一例を表す図
【図１０】実施例２の充電装置における処理の流れの一例を表すフローチャート
【発明を実施するための形態】
【００１４】
以下に、図を用いて本発明の実施の形態を説明する。なお、本発明はこれら実施の形態に何ら限定されるものではなく、その要旨を逸脱しない範囲において、種々なる態様で実施しうる。
【００１５】
なお、実施例１は、主に請求項１，２，３，６，７について説明する。また、実施例２は、主に請求項４，５について説明する。
【００１６】
≪実施例１≫
<概要>
図１は、本実施例の充電装置によるユーザＩＤのグルーピング処理の一例を説明するための概念図である。この図にあるように、例えば本実施例の充電装置が映画館に設置されている。そしてこの映画館で映画を鑑賞するユーザは、図示しない盗難防止用の鍵でロックしたチェーンで接続した上で、当該充電装置上に自身の携帯端末を載置する。すると、ユーザが映画を鑑賞中に携帯機器に対する充電が実行されるとともに、本実施例の充電装置は、載置されている携帯機器で利用される例えばＳＮＳやネットショッピングなどのＷｅｂサービスＩＤと、当該ＷｅｂサービスでのユーザＩＤとを取得する。
【００１７】
そして、例えば取得した中で同じＷｅｂサービスＩＤがあれば、それらユーザＩＤ（図１では同じＳＮＳ＿Ａのユーザαとユーザβ）を関連付けるなどしてグルーピングし、そのグルーピング情報を当該ユーザの携帯機器に出力したり、あるいは当該Ｗｅｂサービスを管理するサーバ装置に対して通知したりする、という具合である。
【００１８】
このようにして本実施例の充電装置によって、同じ時間帯に映画館にいた同じＷｅｂサービスを利用するユーザαとβを、例えば当該Ｗｅｂサービス上で連携させることなどを目的としてグルーピングすることができる。
【００１９】
<機能的構成>
図２は、本実施例の充電装置における機能ブロックの一例を表す図である。なお以下に記載する本装置の機能ブロックは、ハードウェア及びソフトウェアの組み合わせとして実現され得る。具体的には、コンピュータを利用するものであれば、ＣＰＵ（中央演算装置）や主メモリ、バス、あるいは二次記憶装置（ハードディスクドライブや不揮発性メモリ、ＣＤやＤＶＤなどの記憶メディアとそれらメディアの読取ドライブなど）、情報入力に利用される入力デバイス、印刷機器や表示装置、その他の外部周辺装置などのハードウェア構成部、またその外部周辺装置用のインターフェース、通信用インターフェース、それらハードウェアを制御するためのドライバプログラムやその他アプリケーションプログラム、ユーザ・インターフェース用アプリケーションなどが挙げられる。そして主メモリ上に展開したプログラムに従ったＣＰＵの演算処理によって、入力デバイスやその他インターフェースなどから入力され、メモリやハードディスク上に保持されているデータなどが加工、蓄積されたり、上記各ハードウェアやソフトウェアを制御するための命令が生成されたりする。あるいは本装置の機能ブロックは専用ハードウェアによって実現されてもよい。
【００２０】
また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を固定した記録媒体も、当然にこの発明の技術的な範囲に含まれる（本明細書の全体を通じて同様である）。
【００２１】
そして、図２に示すように、本実施例の充電装置０２００は、電力供給部０２０１と、ＩＤ取得部０２０２と、ユーザＩＤグルーピング部０２０３と、を有する。
【００２２】
電力供給部０２０１は、携帯機器に対して充電器を介して充電のための電力供給を行う機能を有し、例えば電力源や、有接点の充電器であれば接続ケーブルやコネクタ、近接無接点の充電器であれば磁束発生用のコイル機構、そして電力供給プログラムなどで実現することができる。このように充電器による電力供給方式は有接点／無接点に限定されないが、１の充電装置に備えられる充電器間の距離、または前記接続ケーブルの長さや前記磁束による充電の有効範囲などは、本発明の目的（ユーザ同士のグルーピング）を鑑みると、ユーザの携帯機器同士が近接していることを把握できる程度の距離（例えば直径数メートルの範囲内）か、あるいは充電装置が映画館やコンビニ、遊園地などの施設に配置されるものであれば、当該施設の範囲内（建造物内や敷地内）であることが望ましい。
【００２３】
また「携帯機器」とはユーザが携行し持ち運び可能であるとともに、後述するようなＷｅｂサービスを利用するためにＷｅｂへの接続機能を有している機器であれば特に限定せず、例えば携帯電話やＰＨＳ（パーソナル・ハンディフォン・システム）、高機能型携帯電話（いわゆるスマートフォン）、ノートパソコン、タブレット型パソコンなどが挙げられる。
【００２４】
ＩＤ取得部０２０２は、充電に際して携帯機器から、当該携帯機器にて利用されているＷｅｂサービスＩＤと、そのＷｅｂサービス中でのユーザＩＤと、を関連付けて取得する機能を有し、例えばＣＰＵや主メモリ、有線または無線方式の通信回路、ＩＤ取得プログラムなどで実現することができる。また、携帯機器には、このＩＤ取得部と連携して充電装置に対してＷｅｂサービスＩＤやユーザＩＤを送信するためのプログラムが別途インストールされていると良い。
【００２５】
具体的に、携帯機器にインストールされたプログラムが、当該携帯機器で利用されているＷｅｂサービスのＩＤ及びそのＷｅｂサービスにおけるユーザＩＤを予め取得しフラッシュメモリなどに記録、管理しておく。その後、例えば充電開始などをトリガーとして充電装置のＩＤ取得部が携帯機器に対してこれらＩＤの送信リクエストを出力し、携帯機器からその管理されているＩＤが返信されることで、あるいは携帯機器にインストールされたプログラムが自動的にこれらＩＤを充電装置に対して送信することで、ＩＤ取得部はＷｅｂサービスＩＤとユーザＩＤを取得する、という具合である。
【００２６】
なお「充電に際して・・・ＩＤを取得」とは、充電期間中にＩＤを取得するのであれば特にそのタイミングは限定せず、充電開始タイミングで（充電処理の開始をトリガーとして）ＩＤの取得処理が実行されても良いし、充電開始から所定秒数経過後にＩＤの取得処理が実行されても良い。あるいは、例えば一分間隔で現在充電中の携帯機器から一斉に取得するという具合に、携帯機器の充電開始とは関係なく、間欠的に一斉取得されても良い。
【００２７】
また、「Ｗｅｂサービス」とは、インターネットを介して提供されるサービスをいい、そのサービス内容は特に限定しないが、例えば前述のソーシャルネットワーキングサービスのほか、ネットショッピングサービス、ネットオークションサービス、ブログや掲示板をはじめとする記事投稿閲覧サービス、静止画／動画／音楽などの配信サービスなどが挙げられる。
【００２８】
図３に示すのは、取得されたＷｅｂサービスＩＤとユーザＩＤを管理するためのマスターデータの一例を表す図である。この図にあるように、例えばＮｏ．００１で取得、管理されているＷｅｂサービスＩＤは「ＳＮＳ＿Ａ」、そしてユーザＩＤは「ユーザα」である。また、Ｎｏ．００２で取得、管理されているＷｅｂサービスＩＤは「ＳＮＳ＿Ａ」でありユーザＩＤは「ユーザβ」である、という具合である。また、このマスターテーブルには、そのＩＤの取得時間（当該ＩＤの取得に係る充電開始及び終了時刻）や、図示しないＩＤの取得元の携帯機器の識別情報などが合わせて記録されていても良い。
【００２９】
ユーザＩＤグルーピング部０２０３は、充電器に略同時に配置されることにより電力供給部から略同時に電力供給された２以上の携帯機器から取得したＷｅｂサービスＩＤによってユーザＩＤをグルーピングする機能を有し、例えばＣＰＵや主メモリ、ユーザＩＤグルーピングプログラムなどによって実現することができる。
【００３０】
なお、「ユーザＩＤのグルーピング」とは、２以上のユーザＩＤを関連付けることによって、当該関連付けられたユーザＩＤで識別されるユーザ同士を同一のグループに属するものとして管理することをいう。図４は、このユーザＩＤのグルーピングを管理するためのユーザＩＤマスターデータの一例を表す図である。この図にあるように、例えばユーザαとユーザβについて、略同じ時間帯に携帯機器の充電を行い、かつ同じＳＮＳ＿Ａを利用しているとして関連付けられ管理されている。またユーザγとユーザθとユーザΩについて略同じ時間帯に携帯機器の充電を行い、かつ同じネットショッピングＢを利用しているとして関連付けられ管理されている一方、ユーザδは、ユーザθやユーザΩと同じネットショッピングを利用しているが、これらユーザとは携帯機器の充電が略同時ではなく、ユーザγとのみ充電時間が略同時であったため別のグルーピングとして管理されている、という具合である。
【００３１】
また携帯機器が充電器に略同時に配置されたことの判断処理は、例えば図３に示すように充電時間やＩＤの取得時刻などを合わせて管理している場合には、当該時間情報を参照し判断することができる。あるいは、前述のようにＩＤを間欠的に一斉取得する構成である場合には特に判断処理を設けず、同一タイミングで一斉取得されたＩＤに関して携帯機器が略同時に配置されたとしても良い。あるいは、携帯機器の充電開始と充電完了（または充電のための配置場所からの持ち去り）のタイミングを検知することで、充電未完了や持ち去られていない携帯機器がある時点（充電完了や持ち去りが検知されていない携帯機器がある時点）で他の携帯機器への充電開始を検知した場合などに、それら携帯機器は略同時に配置されたと判断することもできる。
【００３２】
またグルーピングに関して、一定時間以上同時に配置されているかを判断し、ある程度長い時間同時に配置されている携帯機器同士のみをグルーピングの対象とするように構成しても良い。
【００３３】
なお「ＷｅｂサービスＩＤによるユーザＩＤのグルーピング」は、本発明の目的に鑑みて、基本的には上記のように同一のＷｅｂサービスＩＤに関連付けられたユーザＩＤ同士をグルーピングすることが好ましいが、例えば本のショッピングＷｅｂサービスＸと本のオークションＷｅｂサービスＹ、あるいは本の感想文の投稿ＷｅｂサービスＺという具合に、そのＷｅｂサービスの目的などで一定の関連性のあるサービスであれば、それらＸ，Ｙ，Ｚに関連付けられているユーザＩＤ同士をグルーピングしても良い。その場合には、別途このように関連性が高いと考えられるＷｅｂサービス同士を関連付けたＷｅｂサービスＩＤマスターデータを予め用意しておき、そのＷｅｂサービスＩＤマスターデータを参照してグルーピングするユーザＩＤを特定すると良い。
【００３４】
このようにして、本実施例の充電装置では、略同時に充電された２以上の携帯機器に関して、当該携帯機器で利用されるＷｅｂサービスによってユーザ同士をグルーピングすることができる。したがって、このグルーピング情報を、例えば当該Ｗｅｂサービスの管理会社やマーケティング会社などに提供すれば、例えば当該Ｗｅｂサービス利用者のＷｅｂサービス上での行動と充電器の設置位置などから判断される現実世界での行動とを関連付けて分析することなどができる。
【００３５】
また、このグルーピング情報をお互いのユーザに通知するなどして、現実世界で充電のために同時刻帯に近接していたユーザ同士の当該Ｗｅｂサービス上での連携を促進させることなどができる。そしてグルーピング情報を利用したユーザ同士の連携促進については、本実施例の充電装置が例えば図示しない「第一送信部」をさらに有し、以下のような処理を実行することで行うと良い。
【００３６】
第一送信部は、グルーピングされたユーザＩＤの一部又は全部を、当該グルーピングの元となったＷｅｂサービスＩＤで識別されるＷｅｂサービスを管理するサーバ装置に対して送信する機能を有し、例えばＣＰＵや主メモリ、インターネット通信回路、第一送信プログラムなどによって実現することができる。
【００３７】
図５は、この第一送信部による送信処理を行うための送信先マスターデータの一例を表す図である。この図にあるように、例えば各種ＷｅｂサービスのＩＤと、そのＷｅｂサービスを提供するサーバ装置のＩＰアドレスなどの送信先アドレスが関連付けて記録されている。そして第一送信部では、この送信先マスターデータを参照し、例えば略同時に充電を行ったＳＮＳ＿Ａの利用者として関連付けられているユーザαとユーザβのグルーピング情報の送信先としてＳＮＳ＿ＡのＩＰアドレスを特定し、そのＩＰアドレスに対してグルーピング情報を送信する、という具合である。
【００３８】
また、そのグルーピング情報を受信したＷｅｂサービスのサーバ装置では、そのＷｅｂサービスにおける情報通知機能などを利用して、グルーピング情報で示されるそれぞれのユーザのサービス内アカウントに対して相手ユーザのＩＤなどを通知する処理を行い、例えばフレンド登録などの連携を推奨するような処理（例えばフレンド登録承認ボタン付のメッセージ送信など）を実行すると良い。
【００３９】
また本実施例の充電装置が例えば図示しない「第二送信部」をさらに有し、別の方法でグルーピング情報を利用したユーザ同士の連携促進を行っても良い。
【００４０】
第二送信部は、グルーピングされたユーザＩＤの一部又は全部を、当該グルーピングされたユーザＩＤで識別されるユーザの携帯機器に対して送信する機能を有し、例えばＣＰＵや主メモリ、有線または無線方式の通信回路、第二送信プログラムなどで実現することができる。
【００４１】
図６は、携帯機器での通知画面の一例を表す図である。例えばユーザαの携帯機器に対して送信されたユーザＩＤ「ユーザβ」及びＷｅｂサービスＩＤ「ＳＮＳ＿Ａ」などの情報を利用して、当該携帯機器では、「ＳＮＳ＿Ａを利用するユーザβが、あなたとほぼ同時に同じ場所で充電を行いました。ＳＮＳ＿Ａにログインして、ユーザβにフレンド登録申請しますか（はい）（いいえ）」といった情報を画面上に表示し、ユーザαにＳＮＳ＿Ａでのユーザβとの連携（フレンド登録など）を推薦する、という具合である。
【００４２】
<ハードウェア構成>
図７は、上記機能的な各構成要件をハードウェアとして実現した際の、充電装置における構成の一例を表す概略図である。この図を利用してユーザＩＤのグルーピング処理に係るそれぞれのハードウェア構成部の働きについて説明する。
【００４３】
この図にあるように、充電装置は、ＩＤ取得部およびユーザＩＤグルーピング部であり、またその他の各種演算処理を実行するためのＣＰＵ０７０１と、主メモリ０７０２と、を備えている。また各種プログラムや各種マスターデータを保持するフラッシュメモリ０７０３や、無接点方式での電力供給部であるコイル０７０４、携帯機器と無線通信を行うための通信回路０７０５などを備えている。そしてそれらが「システムバス」などのデータ通信経路によって相互に接続され、情報の送受信や処理を行う。
【００４４】
また、「主メモリ」にはプログラムが読み出され、「ＣＰＵ」は読み出された当該プログラムを参照し、プログラムで示される手順に従い各種演算処理を実行する。また、この「主メモリ」や「フラッシュメモリ」にはそれぞれ複数のアドレスが割り当てられており、「ＣＰＵ」の演算処理においては、そのアドレスを特定し格納されているデータにアクセスすることで、データを用いた演算処理を行うことが可能になっている。
【００４５】
ここで、例えば充電板などに携帯機器が載置されたことを図示しない接触センサなどで検知すると、ＣＰＵは電力供給プログラムを解釈し、その解釈結果にしたがってコイルに対する通電を行う。すると、電磁誘導によって携帯機器内のコイルにも電流が生じ充電が実行される。
【００４６】
また、例えばこのように充電が開始されたことをトリガーとしてＣＰＵはＩＤ取得プログラムを解釈し、無線アドホック通信などによって携帯機器と通信を行う。そして携帯機器に対して「当該携帯機器にて利用されているＷｅｂサービスＩＤと、そのＷｅｂサービス中でのユーザＩＤと、を出力する」旨を示すリクエストを送信し、そのリクエストに応じて返信されたレスポンスで示されるＷｅｂサービスＩＤとユーザＩＤを主メモリのアドレス１，２などに関連付けて管理されるよう格納する。また充電完了や充電板からの携帯機器の持ち去りを検知すると、当該携帯機器から取得されたＩＤを主メモリから削除する。
【００４７】
その後、上記ＩＤの削除の前に、充電板に載置された他の携帯機器からも同様にＷｅｂサービスＩＤとユーザＩＤを受信し主メモリに格納すると、つづいてＣＰＵはユーザＩＤグルーピングプログラムを解釈し、その解釈結果に従って同一のＷｅｂサービスＩＤが主メモリの所定領域内に格納されているか否かの判断処理を実行する。そして同一のＷｅｂサービスＩＤが格納されているとの判断結果が出力された場合には、ＣＰＵは当該同一のＷｅｂサービスＩＤに関連付けられているユーザＩＤをグルーピングし、フラッシュメモリに保持されている図４に示すようなユーザＩＤマスターデータに当該ユーザＩＤを紐付けて記録する、という具合である。
【００４８】
そしてＣＰＵは、例えば図示しない第一送信プログラムを解釈し、グルーピングのキーとなったＷｅｂサービスの管理サーバの情報通知先アドレスを送信先マスターデータなどを参照して特定する。そして特定した送信先アドレスに対して、グルーピングされたユーザＩＤを通知する処理を行うと良い。するとＷｅｂサービスのサーバ装置では、Ｗｅｂサービスにおける情報送信機能などを利用して、通知されたユーザのサービス内アカウントに対して相手ユーザのＩＤなどを送信する処理を行い、ユーザ同士の連携を促すことができる。
【００４９】
あるいはＣＰＵは図示しない第二送信プログラムを解釈し、グルーピングされたユーザＩＤの取得元である携帯機器に対して、直接相手のユーザＩＤやグルーピングのキーとなったＷｅｂサービスＩＤを通知する処理を行っても良い。すると携帯機器に別途インストールされているプログラムによる処理によって、例えば図６に示すような連携推薦画面が携帯機器のディスプレイに表示され、ユーザ同士の連携を促すことができる。
【００５０】
なお上記例は一例であって、機能的構成にて説明したように充電はコネクタへの接続によって有線で行われても良いし、またＩＤの取得タイミング、複数の携帯機器の充電器への配置が略同時か否かの判断処理、ユーザＩＤのグルーピングに際してのＷｅｂサービスＩＤマスターデータの参照有無などもさまざまであって良い。
【００５１】
<処理の流れ>
図８は、本実施例の充電装置における処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。
【００５２】
この図にあるように、まず、例えば充電板への載置の検知やコネクタへの接続に応じて、携帯機器に対して充電器を介して電力供給を行う（電力供給ステップ：ステップＳ０８０１）。そしてこの充電に際して携帯機器から、当該携帯機器にて利用がある場合には利用されているＷｅｂサービスＩＤと、そのＷｅｂサービス中でのユーザＩＤと、を関連付けて取得する（ＩＤ取得ステップ：ステップＳ０８０２）。そして、充電器に略同時に配置されることにより電力供給部から略同時に電力供給された２以上の携帯機器から取得したＷｅｂサービスＩＤによってユーザＩＤをグルーピングする（ユーザＩＤグルーピングステップ：ステップＳ０８０３）。
【００５３】
そしてグルーピングしたユーザＩＤについて、例えば当該グルーピングの元となったＷｅｂサービスＩＤで識別されるＷｅｂサービスを管理するサーバ装置に対して送信したり、当該グルーピングされたユーザＩＤで識別されるユーザの携帯機器に対して送信したりすると良い。
【００５４】
<効果の簡単な説明>
以上のように本実施例の充電装置によって、略同時に充電された２以上の携帯機器に関して、当該携帯機器で利用されるＷｅｂサービスによってユーザ同士をグルーピングすることができる。したがって、このグルーピング情報をお互いに通知するなどして、現実世界で充電のために同時刻帯に近接していたユーザ同士の当該Ｗｅｂサービス上での連携を促進させることなどができる。
【００５５】
≪実施例２≫
<概要>
本実施例は、上記実施例の特に第一送信部又は／及び第二送信部を有する充電装置を基本として、さらに充電装置自身の位置情報も合わせてＷｅｂサービスの管理サーバや携帯機器に送信することで、「どこ」で略同時に携帯機器を充電していたもの同士かを把握することができるよう構成したことを特徴とする。また、携帯機器への充電のための電力供給時刻も合わせて通知することで、「いつ」略同時に携帯機器を充電していたもの同士かを把握することができるよう構成したことを特徴とする。
【００５６】
<機能的構成>
図９は、本実施例の充電装置における機能ブロックの一例を表す図である。この図にあるように本実施例の充電装置０９００は、上記実施例を基本として電力供給部０９０１と、ＩＤ取得部０９０２と、ユーザＩＤグルーピング部０９０３と、第一送信部０９０４又は／及び第二送信部０９０５を有する。なお、これら構成要件については上記実施例にて記載済みであるので、その説明は省略する。
【００５７】
そして本実施例の充電装置は、位置情報保持部０９０６を有するとともに、第一送信部又は／及び第二送信部が位置情報送信手段０９０７を有することを特徴とする。あるいは電力供給時刻取得部０９０８を有するとともに、第一送信部又は／及び第二送信部が電力供給時刻送信手段０９０９を有することを特徴とする（図９では、第一送信部が位置情報送信手段を、第二送信部が電力供給時刻送信手段を有する例を記載している）。
【００５８】
位置情報保持部０９０６は、充電装置自身の位置を示す位置情報を保持する機能を有し、例えばＨＤＤ（ハードディスクドライブ）やフラッシュメモリ、その他の記憶装置などによって実現することができる。なお、ここで保持されている位置情報は、例えば緯度経度情報や位置を示すためのその他識別情報などであっても良いが、ユーザ同士の連携を促進するという目的を鑑みると、例えば「××市××町」、あるいは「○○映画館」、「レストラン△△」といった具合に、ユーザの認識しやすい地名や施設名であることが望ましい。もちろん、位置情報を緯度経度情報として保持しておき、ユーザに通知する際に地名や施設名などに変換する構成としても良い。
【００５９】
位置情報送信手段０９０７は、保持されている位置情報もユーザＩＤと合わせて送信する機能を有し、例えばＣＰＵや主メモリ、通信回路、位置情報送信プログラムなどによって実現することができる。このようにして、位置情報もユーザＩＤと合わせて送信することで、ユーザに対して例えば「"○○映画館"であなたとほぼ同時に充電を行っていたユーザβは、あなたと同じＳＮＳ＿Ａを利用しています。フレンド登録申請しますか（はい）（いいえ）」といった通知を行うことができる。したがって、例えばそのフレンド申請などに際して、映画の感想などを共通の話題としてコミュニケーションをとることができる。
【００６０】
電力供給時刻取得部０９０８は、電力供給部での携帯機器に対する電力供給時刻を取得する機能を有し、例えばＣＰＵや主メモリ、内蔵時計、電力供給時刻取得プログラムなどで実現することができる。もちろん、内臓時計などではなく、外部サーバから通信によって電力供給時刻を取得する構成であっても良い。
【００６１】
電力供給時刻送信手段０９０９は、取得した電力供給時刻もユーザＩＤと合わせて送信する機能を有し、例えばＣＰＵや主メモリ、通信回路、電力供給時刻送信プログラムなどによって実現することができる。このようにして、電力供給時刻もユーザＩＤと合わせて送信することで、ユーザに対して例えば「"本日１８時３０分"にあなたとほぼ同時に充電を行っていたユーザβは、あなたと同じＳＮＳ＿Ａを利用しています。フレンド登録申請しますか（はい）（いいえ）」といった通知を行うことができる。したがって、例えばそのフレンド申請などに際して、その時刻に自身の居た場所であった出来事などを共通の話題としてコミュニケーションをとることができる。
【００６２】
<処理の流れ>
図１０は、本実施例の充電装置における処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。
【００６３】
この図にあるように、まず、例えば充電板への載置の検知やコネクタへの接続に応じて、携帯機器に対して充電器を介して電力供給を行う（電力供給ステップ：ステップＳ１００１）。そしてこの充電に際して携帯機器から、当該携帯機器にて利用されているＷｅｂサービスＩＤと、そのＷｅｂサービス中でのユーザＩＤと、を関連付けて取得する（ＩＤ取得ステップ：ステップＳ１００２）。そして、充電器に略同時に配置されることにより電力供給部から略同時に電力供給された２以上の携帯機器から取得したＷｅｂサービスＩＤによってユーザＩＤをグルーピングする（ユーザＩＤグルーピングステップ：ステップＳ１００３）。
【００６４】
また、それとともに予めフラッシュメモリなどに保持されている充電装置自身の位置情報を取得する（位置情報取得ステップ：ステップ１００４）、又は／及び例えば内蔵時計などから現在時刻情報を電力供給時刻として取得する（電力供給時刻取得ステップ：ステップＳ１００５）。そして前記グルーピングの元となったＷｅｂサービスＩＤで識別されるＷｅｂサービスを管理するサーバ装置に対して、ユーザＩＤに加えて、位置情報又は／及び電力供給時刻を送信する（第一送信ステップ：ステップＳ１００６）、又は／及び前記グルーピングされたユーザＩＤで識別されるユーザの携帯機器に対して、ユーザＩＤに加えて、位置情報又は／及び電力供給時刻を送信する（第二送信ステップ：ステップＳ１００７）。
【００６５】
<効果の簡単な説明>
以上のように本実施例の充電装置によって、グルーピングされたユーザに、その充電装置の位置や充電した時刻（電力供給時刻）を合わせて通知することができる。したがって、ユーザ間の連携を図る際に、その位置や時刻に合わせた話題を共通の話題とすることができる。
【符号の説明】
【００６６】
０２００  充電装置
０２０１  電力供給部
０２０２  ＩＤ取得部
０２０３  ユーザＩＤグルーピング部
【図１】
0005515124.tif 000002
【図２】
0005515124.tif 000003
【図３】
0005515124.tif 000004
【図４】
0005515124.tif 000005
【図５】
0005515124.tif 000006
【図６】
0005515124.tif 000007
【図７】
0005515124.tif 000008
【図８】
0005515124.tif 000009
【図９】
0005515124.tif 000010
【図１０】
0005515124.tif 000011